(57)【要約】【課題】道路や公園等で車の進入を規制するために設置される車止めや、石灯籠、縁石等として使用するに適した外灯装置であって、長時間連続使用可能で、二次公害を引き起こすおそれもない照明装置を備えたコンパクトで簡単な構造の外灯装置を提供すること。【解決手段】石材等で作られた本体に凹部を設け、この凹部に、太陽電池と該太陽電池の電力を充電する電気二重層コンデンサと該電気二重層コンデンサの出力により発光するＬＥＤとを一体に組み付けた照明装置を嵌め込んで設けた。【選択図】　　　　図１
2004095483.tif 000002
【特許請求の範囲】
【請求項１】
石材等で作られた灯籠状乃至ブロック状の本体に、太陽電池と該太陽電池の電力を充電する電気二重層コンデンサと該電気二重層コンデンサの出力により発光するＬＥＤとを備えた照明装置を設置したことを特徴とする外灯装置。
【請求項２】
太陽電池と電気二重層コンデンサとＬＥＤとが一体に組み付けられた照明装置が設けられている請求項１に記載の外灯装置。
【請求項３】
照明装置が、本体に設けた凹部に嵌め込んで固定されている請求項１又は２に記載の外灯装置。
【請求項４】
外灯装置が車の進入を規制する車止めである請求項１乃至３のいずれかに記載の外灯装置。
【請求項５】
外灯装置が庭園等に設置される石灯籠である請求項１乃至３のいずれかに記載の外灯装置。
【請求項６】
外灯装置が道路の縁石である請求項１乃至３のいずれかに記載の外灯装置。
【請求項７】
外灯装置がグランドフラッシャーである請求項１乃至３のいずれかに記載の外灯装置。
【発明の詳細な説明】
【０００１】
【発明の属する技術分野】
本発明は、道路や公園等で車の進入を規制するために設置される車止めや、石灯籠等として使用するに適した外灯装置に関するものである。
【０００２】
【従来の技術】
道路や公園等では、所定場所への車の進入を規制する車止めが設置されることが多い。この種の車止めは、石材ブロックで作られるのが一般的であり、夜間でも目立つように照明装置が付設されているものも多くなっている。従来、この種の車止めに設けられた照明装置としては、太陽電池と蓄電池と発光素子（ＬＥＤ）とを備えたものが試みられている。
【０００３】
【発明が解決しようとする課題】
太陽電池を電源とする照明装置は、外部の電柱から電線を引いてくる必要がないので便利であるが、従来の照明装置の蓄電池は、充放電サイクルが２００〜５００回程度で寿命となるため、２〜３年ごとに交換しなければならないという問題点があるほか、充電液の補充や比重調整等のメンテナンスが必要であり、しかも鉛やカドミウム等の重金属を含むので、公害問題を生じないよう、寿命となったものを回収する手間がかかるという問題点があった。
【０００４】
また、曇天や雨天等を考慮して十分な容量のものを使用しなければならないので、装置的に大掛かりで高価格となるという問題点もあった。そこで本発明は、従来の照明装置のようなメンテナンスを必要とせず、長時間連続使用可能で、二次公害を引き起こすおそれもない、コンパクトで簡単な構造の外灯装置を提供することを課題としている。
【０００５】
【課題を解決するための手段】
上記課題を解決するために、本発明は次のような構成とした。すなわち、本発明にかかる外灯装置は、石材等で作られた灯籠状乃至ブロック状の本体に、太陽電池と該太陽電池の電力を充電する電気二重層コンデンサと該電気二重層コンデンサの出力により発光するＬＥＤとを備えた照明装置を設置したことを特徴としている。
【０００６】
上記照明装置としては、太陽電池と電気二重層コンデンサとＬＥＤとが一体として組み付けられた物を用いるのが好ましい。また、装置的に堅牢なものとするためには、本体に凹部を設けて、その凹部に照明装置を嵌め込んで固定しておくのが好ましい。この場合、太陽電池とＬＥＤとが外部に臨むように設置しておけばよい。
【０００７】
【発明の実施の形態】
以下、本発明の実施の形態について具体的に説明する。図１以下の各図は、本発明にかかる外灯装置の具体例を表すもので、この外灯装置１は、花崗岩等の石材で作られた本体２に照明装置３を取り付けてなる。図１に示す実施形態では、円柱形の本体２の側面部に角型の凹部２ａが設けられ、該凹部２ａに角型の照明装置３が嵌め込まれている。
【０００８】
照明装置３は、箱体４の表面の中央部にＬＥＤからなる長方形の発光体５を設け、該発光体５の周囲に太陽電池７を枠状に配置している。図２はこの照明装置３の外観図、及び図３はその構成を表すブロック図であり、太陽電池７とＬＥＤ（発光体）５との間に電気二重層コンデンサ１０が設けられている。太陽電池７は、複数個の太陽電池モジュールを並設したもので、曇天や雨天等を想定して、必要な電力を電気二重層コンデンサ１０に充電できるようなものが設けられている。
【０００９】
図３中の１２は逆流防止用ダイオード、１３は過電圧保護回路である。過電圧保護回路は、太陽電池７の過充電電圧に達すると太陽電池７の出力を遮断するものである。また、２５は負荷制御回路であり、ＬＥＤ５への供給電力を制御するものである。例えば、日没となってまわりが暗くなると、太陽電池７の出力が低下したことを検知してＬＥＤ５への通電を開始し、太陽電池７の出力が所定値以上に復帰すると、当該ＬＥＤ５への通電を遮断する。このため、まわりが明るい間は発光せず、暗くなってから発光する便利なものとなっている。
【００１０】
この照明装置３は、本体２の側面部に形成した長方形の凹部２ａに嵌め込んで、ビス、接着剤等の適当な固着手段で固着されている。従来太陽電池を用いる照明装置の場合は、太陽光がよく当たるように太陽電池を上に向けて設置していたが、この照明装置３の場合は、図１に示すように横向きでも十分に充電することができるので、本体２の上面２ｂ部に頭飾り石等、種々の装飾を施すことが可能である。また、本体の上面２ｂを平らにして、その上に物を載置できるテーブルとすることも可能である。
【００１１】
図１の外灯装置は本体２が円柱状であるが、これを図４に示すように角柱状とすることもできる。また、図１、図４の実施形態では、本体２の側面部に照明装置３を設けているが、図５に示す外灯装置３０のように、本体３２の上面３２ａに凹部を設けて照明装置を嵌め込み、その周囲に複数の支柱３３，…を立設して、その上にキャップ３５を設けておくこともできる。この場合は、太陽電池７に十分な光が届くように、照明装置３とキャップ３５の間隔をある程度大きくしておくのが好ましい。この実施形態でも、キャップ３５の上面は平らにしておくこともできるし、彫刻等の装飾を施しておくこともできる。
【００１２】
図６はさらに異なる実施形態を表すもので、この実施形態の外灯装置４０は、角柱状（円柱状でもよい）の本体４２の内部に中空部４３を設け、該中空部の底面に設けた凹部４３ａに照明装置３を嵌め込んでいる。中空部４３の側面は窓状に開口部４６となっており、そこから自然光が太陽電池７に照射するようになっている。発光体５の光も当該開口部４６から外部に照射される。
【００１３】
図７は、道路の縁石等として使用される外灯装置５０を表すもので、この外灯装置５０は、本体５１に前後方向の通孔５２を設け、該通孔内に照明装置５３を嵌め込んで固定している。図中のＧＬが地面のレベルを表す。この照明装置５３は、箱体５４の前面と後面に猫目状の一対の円形発光体５５，５５をそれぞれ設けたもので、箱体５４の上面５６が太陽電池部となっている。この外灯装置５０は、猫目状の発光体（ＬＥＤ）５５が光るので目立ちやすく、道路の縁石やロータリーの縁石、中央分離体の縁石等として設置するに適している。
【００１４】
図８は、グランドフラッシャーとして使用するに適した外灯装置６０を表すもので、この外灯装置６０は、円柱状の本体６１の上部に周方向の環状の溝６２が設けられ、その上側の部分に円形の照明装置６３が嵌め込まれている。この照明装置６３は、円筒状のケーシングの前面に太陽電池とＬＥＤとを外に向けて配置したもので、中心部に発光部ＬＥＤが設けられ、その左右両側に太陽電池が設けられている。
【００１５】
以上に、種々の用途に使用する外灯装置の例をあげたが、本発明の外灯装置はいずれも太陽電池７を電源としており、外部から電線を引いて電力を供給する必要がないので、コンパクトであり、任意の場所に設置することができる。また、電気二重層コンデンサを用いて充電するので、寿命が長く、メンテナンスも省略することができる。さらに、太陽電池と発光体とが一体となっているので、装置の内部構造も簡単かつコンパクトである。
【００１６】
従来の太陽電池式照明装置では、現場で太陽電池と発光装置とを組み合わせて電気的に接続するため、設置後に現場でその発光状態をチェックする必要があったが、上記実施形態のものは、太陽電池と発光体とが一体となっているので、事前にその性能を確認することができるのみならず、設計段階でも動作確認が可能であるという利点がある。また、従来の太陽電池式照明装置をこの種の外灯装置に組み込んだ場合は、太陽電池と発光体とを結ぶ線に不具合がある場合、その修理が困難であるが、この照明装置を一体型とすることにより、不具合がある場合は簡単に交換することができるようになる。
【００１７】
さらに、本発明で使用する照明装置は、本体２の上面に上に向けて設置する必要がなく、図示例のように、本体の側面部や、中空部等に設置することができるので、汚れにくく、汚れによる充電性能や照明性能の劣化も生じにくい。しかも、設置場所や設置の方向を気にしなくてもよいので、実用上きわめて便利である。
【００１８】
【発明の効果】
以上に説明したように、本発明にかかる外灯装置は、太陽電池を電源とする照明装置が設けられていて、暗くなると自動的に点灯するので、夜間でもその存在が明確に認識される。このため、車止め等として使用するのに適している。また、太陽電池の電力を充電する充電装置として、電気二重層コンデンサを用いるので、短時間で充電することができ、特別なメンテナンスも不要であり、堅牢である。この電気二重層コンデンサは炭素と水溶液からなるので、使用後に廃棄しても重金属等による公害問題の生ずるおそれはない。以上の説明では、この外灯装置を車止めに利用する例について説明したが、庭園の装飾品等、種々の用途に利用することができることは言うまでもない。
【図面の簡単な説明】
【図１】本発明の実施形態を表す外観図である。
【図２】照明装置の外観図である。
【図３】照明装置の構成を表すブロック図である。
【図４】上記と異なる実施形態を表す外観図である。
【図５】さらに異なる実施形態を表す外観図である。
【図６】さらに異なる実施形態を表す外観図である。
【図７】さらに異なる実施形態を表すＡ−Ａ矢視図（ａ）、側面図（ｂ）、正面図（ｃ）である。
【図８】さらに異なる実施形態を表す平面図（ａ）及び正面図（ｂ）である。
【符号の説明】
１　　　　　　外灯装置
２　　　　　　本体
２ａ　　　　　凹部
３　　　　　　照明装置
５　　　　　　発光体（ＬＥＤ）
７　　　　　　太陽電池
１０　　　　　　電気二重層コンデンサ
３０　　　　　　外灯装置
４０　　　　　　外灯装置
５０　　　　　　縁石用外灯装置
６０　　　　　　グランドフラッシャー用外灯装置
【図１】
2004095483.tif 000003
【図２】
2004095483.tif 000004
【図３】
2004095483.tif 000005
【図４】
2004095483.tif 000006
【図５】
2004095483.tif 000007
【図６】
2004095483.tif 000008
【図７】
2004095483.tif 000009
【図８】
2004095483.tif 000010